(57)【特許請求の範囲】
【請求項１】
間仕切等のための梁部材の一側部位から被嵌する断面コ字状の開放溝を有する副連結金具と、前記梁部材における前記一側部位と対向する他側部位から前記副連結金具の立ち上がりの対の側片の外側に被嵌し、且つ隣接する梁部材もしくは他の部材への取り付け部を備えた断面コ字状の開放溝を有する主連結金具とからなり、
前記主連結金具の少なくとも上側面に螺着した締着ねじを、前記副連結金具における立ち上がり側片に形成したルーズ孔を介して梁部材に押圧固定するように構成したことを特徴とする梁部材の連結装置。
【請求項２】
前記副連結金具は梁部材の一側面に当接し、前記主連結金具は梁部材における前記一側面と対向する他側面に当接するように構成したことを特徴とする請求項１に記載の梁部材の連結装置。
【発明の詳細な説明】
【０００１】
【発明の属する技術分野】
本発明は、間仕切等のための梁部材を直線状等に連結したり梁部材の端部を壁等に固定するための梁部材の連結装置に関するものである。
【０００２】
【従来の技術】
従来、複数の間仕切パネルを直線状に連結するために、間仕切パネルの上端枠（上梁部材）を連結する装置として、例えば、実開昭６３−４７２５号公報では、偏平な長板材を隣接する２つの上枠間に掛け渡し、長板材の両端部をそれぞれ取り付けボルト及びナットにて上端枠に固定したものが開示されている。
【０００３】
また、間仕切パネルにおける上端枠の一端を壁面に連結するため、実開平６−３２５１３号公報では、間仕切パネルの上端枠と縦枠とのコーナ部を、側面視Ｌ字状のコーナ金具にて固定した後、このコーナ金具の上部の水平な断面コ字状の取り付け台に、側面視Ｌ字状の固定金具の水平部をボルト、ナット等にて締着固定し、固定金具の垂直片を壁面にねじ止めする構成が開示されている。
【０００４】
【発明が解決しようとする課題】
しかしながら、これらの先行技術では、長板材やコーナ部材を上端枠の外面にぴったりと当接する形状に予め成形しておかなければならず、しかも、上端枠との連結箇所で、垂直方向にボルトを差し込み、上端枠の下面側にナットを手で添えながらボルト締着しなければならず、連結作業に手間取るという問題があった。また、ナットを上端枠側に予め固定している場合には、ナットを手で持つ手間は省けるが、ナットの設置箇所にしかボルト締着できず、施工の際の寸法誤差等での取り付け位置の微調整ができなくなるという問題があった。
【０００５】
本発明は、取り付け位置の微調整が容易で且つ梁部材の断面形状に拘らず取り付け可能な汎用性のある梁部材の連結装置を提供することを目的とするものである。
【０００６】
【課題を解決するための手段】
前記目的を達成するため、請求項１に記載の発明の梁部材の連結装置は、間仕切等のための梁部材の一側部位から被嵌する断面コ字状等の開放溝を有する副連結金具と、前記梁部材における前記一側部位と対向する他側部位から前記副連結金具の立ち上がりの対の側片の外側に被嵌し、且つ隣接する梁部材もしくは他の部材への取り付け部を備えた断面コ字状等の開放溝を有する主連結金具とからなり、前記主連結金具の少なくとも上側面に螺着した締着ねじを、前記副連結金具における立ち上がり側片に形成したルーズ孔を介して梁部材に押圧固定するように構成したものである。
【０００７】
また、請求項２に記載の発明は、請求項１に記載の梁部材の連結装置において、前記副連結金具は梁部材の一側面に当接し、前記主連結金具は梁部材における前記一側面と対向する他側面に当接するように構成したものである。
【０００８】
【発明の実施の形態】
次に、本発明を具体化した実施形態について説明する。図１は間仕切パネルの正面図、図２は２つの横梁部材を連結する場合の連結装置の部品の斜視図、図３は連結状態を示す正面図である。
【０００９】
図１に示すように、複数の間仕切パネル１を一直線状に連結し、その間に回動式の扉２を配置し、終端の間仕切パネル１の上端の横梁部材３を壁面４に固定する施工を実行するに際して、第１の実施形態では、扉２の開口部の上側の間口梁部材５と、戸当たり支柱６及び戸連結支柱７の上端に臨む横梁部材３との連結装置１０について説明する。
【００１０】
扉２の基端は戸連結支柱７と蝶番８を介して回動可能に取り付けられている。横梁部材３及び間口梁部材５は、断面上向きコ字状の外枠材１１と、その内部に長手方向沿って溶接固定された下向きコ字状の補強枠１２とからなり、アルミ押出材もしくはロールダイス成形等によって形成されたものである。横梁部材３と間口梁部材５の両端とを連結するための連結装置１０は、図２に示すように、横梁部材３の下面側から被嵌する断面コ字状等の開放溝を有する副連結金具１４と、前記横梁部材３の上面側から前記副連結金具１４の立ち上がりの対の側片１４ａ，１４ａの外側に被嵌し、且つ隣接する間口梁部材５への取り付け部１５を備えた断面コ字状等の開放溝を有する主連結金具１３とからなる。
【００１１】
さらに詳述すると、副連結金具１４は、横梁部材３の下面に当接し得る底板１４ｂとその両端から略直角に屈曲させる等して立ち上げた一対の側片１４ａ，１４ａとからなり、両側片１４ａ，１４ａには、後述する締着ねじ１６の軸部が挿通できる横長のルーズ孔１７が２つずつ穿設されている。
【００１２】
主連結金具１３は横梁部材３と間口梁部材５の両端に跨がる長さの天板１３ｂとその両端から下向きに略直角に屈曲させる等した一対の側片１３ａ，１３ａとからなり、少なくともその一側片１３ａには複数（実施例では２本）の締着ねじ１６を螺合させるための雌ねじ部１８が設けられている。また、前記天板１３ｂには、横梁部材３における補強枠１２の上面に形成された固定のための雌ねじ部２１に取り付けねじ１９を装着するための挿通孔２０が複数穿設されている一方、同じく間口梁部材５の補強枠１２の上面に形成された雌ねじ部２３への取り付け部１５として、取り付けねじ２２のための取り付け孔２４が穿設されている。
【００１３】
この構成によれば、図３及び図４に示すように、横梁部材３の下面側に副連結金具１４を下方から被嵌し、次いで主連結金具１３を上側から被嵌する。このとき、主連結金具１３の両側片１３ａ，１３ａが副連結金具１４の両側片１４ａ，１４ａの外側に位置するように被嵌させる。そして、少なくとも主連結金具１３の一側片１３ａに螺着した締着ねじ１６，１６の軸部を前記ルーズ孔１７，１７に挿通させ、該各軸部の先端にて横梁部材３の側面を押圧する。これにより、横梁部材３を主連結金具１３と副連結金具１４とが上下に挟まれた状態で且つ副連結金具１４が脱落しない。しかも、主連結金具１３における天板１３ｂを横梁部材３及び間口梁部材５の上面と平行状に保持することが容易にできる。
【００１４】
そして、主連結金具１３の天板の挿通孔２０，２０に差し込んだ取り付けねじ１９，１９を横梁部材３の雌ねじ部２１に螺合させると、位置決めが完了できるから、その状態で間口梁部材５に対しては、取り付けねじ２２，２２を取り付け孔２４，２４を介して雌ねじ部２３，２３に締着すれば良いのである。
【００１５】
この後、横梁部材３及び間口梁部材５の上側から断面下向きコ字状の天カバー体２５にて覆うことにより、横梁部材３、間口梁部材５及び主連結金具１３はその側面及び上面が露出せず、横梁部材３の下面側も間仕切パネル１の配置により副連結金具１４も隠すことができる。
【００１６】
図５及び図６は、横梁部材３の端部と壁面４との連結装置２６を示し、副連結金具１４は前記実施例と同じ形態であり、主連結金具２７は、天板２７ｂの両端から下向きに直角に屈曲させた一対の側片２７ａ，２７ａが前記副連結金具１４の箇所にのみ設けられ、天板２７ｂの長手方向一端から上向きに屈曲させた取り付け板２７ｃには、壁面４にねじ２９止めするための取り付け用の円錐孔３０が複数穿設されたものである。一対の側片２７ａ，２７ａには、前記副連結金具１４のルーズ孔１７，１７に締着ねじ１６の軸部が挿通できる雌ねじ部１８が設けられている。
【００１７】
この実施形態では、前述と同様に、横梁部材３の下面側から副連結金具１４を被嵌し、上側から主連結金具２７を被嵌し、該主連結金具２７の両側片２７ａ，２７ａが副連結金具１４の両側片１４ａ，１４ａの外側に位置するようにセットする。次に主連結金具１３の少なくとも一側片１３ａに螺着した締着ねじ１６，１６の軸部を前記ルーズ孔１７，１７に挿通させ、該各軸部の先端にて横梁部材３の側面を押圧する。このとき、固定位置を横は３の長手方向にずらすことにより、取り付け板２７ｃが壁面４に当接できるように、主連結金具２７の横梁部材３の長手方向に対する取り付け位置を任意に調節することができる。また、副連結金具１４は主連結金具２７から脱落せず、且つ主連結金具２７における天板２７ｂが横梁部材３の上面と平行状に保持することが容易になる。
【００１８】
前記実施形態では横梁部材３並びに間口梁部材５の断面が四角状であったが、三角状、六角状、円筒状、楕円筒状、丸棒状の等の中実、中空等の各種断面の梁部材に適用できることはいうでもなく、また、主連結金具と副連結金具との挟み被嵌方向は上下に限らず、梁部材の断面の表裏横方向からであっても良いし、梁部材を上下に連結する場合にも適用できる。
【００１９】
副連結金具のコ字状等の開放溝の内部に梁部材が被嵌できれば良く、副連結金具の両側の立ち上がり側片と梁部材の外面との間に隙間があっても、主連結金具の側片に螺着した締着ねじの軸が梁部材の外面に押圧できれば、副連結金具は脱落しないのである。
【００２０】
副連結金具の開放溝の内面及び主連結金具の開放溝の内面が同時に挟む梁部材の外面に当接する状態で締着ねじの軸部がルーズ孔を挿通するように構成すれば、主連結金具の姿勢保持、つまり、梁部材の外側面との平行状の保持姿勢を確実に設定できるという効果を奏する。
【００２１】
【発明の効果】
以上に説明したように、請求項１に記載の発明の梁部材の連結装置は、間仕切等のための梁部材の一側部位から被嵌する断面コ字状等の開放溝を有する副連結金具と、前記梁部材における前記一側部位と対向する他側部位から前記副連結金具の立ち上がりの対の側片の外側に被嵌し、且つ隣接する梁部材もしくは他の部材への取り付け部を備えた断面コ字状等の開放溝を有する主連結金具とからなり、前記主連結金具の少なくとも上側面に螺着した締着ねじを、前記副連結金具における立ち上がり側片に形成したルーズ孔を介して梁部材に押圧固定するように構成したものであるから、副連結金具の梁部材に対する配置位置をずらせることも、主連結金具とのセット位置も調節可能となり、また、梁部材の断面形状に拘らず、主連結金具と副連結金具とで梁部材を挟んで、固定できると言う効果を奏する。さらに、連結箇所に応じて副連結金具を共通形態にして、主連結金具の形態のみ変更することが至極簡単にできるから、部品点数の少数化にも寄与できるという効果を奏する。
【００２２】
また、請求項２に記載の発明は、請求項１に記載の梁部材の連結装置において、前記副連結金具は梁部材の一側面に当接し、前記主連結金具は梁部材における前記一側面と対向する他側面に当接するように構成したものであるから、副連結金具の開放溝の内面及び主連結金具の開放溝の内面が同時に挟む梁部材の外面に当接する状態で締着ねじの軸部がルーズ孔を挿通するように構成すれば、主連結金具の姿勢保持、つまり、梁部材の外側面との平行状の保持姿勢を確実に設定できるという効果を奏する。
【図面の簡単な説明】
【図１】間仕切パネルの正面図である。
【図２】横梁部材と間口梁部材との連結装置の部品斜視図である。
【図３】連結装置による横梁部材と間口梁部材との連結状態を示す正面図である。
【図４】図３のIV−IV線矢視拡大断面図である。
【図５】横梁部材と壁面との連結装置の部品斜視図である。
【図６】連結装置による横梁部材と壁面との連結状態を示す正面図である。
【符号の説明】
１      間仕切パネル
３      横梁部材
４      壁面
５      間口梁部材
１０、２６      連結装置
１３      主連結金具
１３ａ    側片
１３ｂ    天板
１４      副連結金具
１４ａ    側片
１４ｂ    底板
１６      締着ねじ
１７      ルーズ孔
【図１】
0003585027.tif 000002
【図２】
0003585027.tif 000003
【図３】
0003585027.tif 000004
【図４】
0003585027.tif 000005
【図５】
0003585027.tif 000006
【図６】
0003585027.tif 000007